(57)【特許請求の範囲】
【請求項１】
平行に延在した脚部と、両脚部を連結する連結部とを有し、マットの下側に配置される設置部材と、
平行に延在した脚部と、両脚部を連結する連結部とを備えた本体部分を有し、前記両脚部の下端には、支持脚の上端が移動自在に嵌合されて取付けられている、寝具を所定の高さに保持するための寝具保持部材と、を有し、
寝具保持部材は、設置部材に対して、折り畳み機構を介して折り畳み自在に取付けられている寝具足先保護具であって、
前記折り畳み機構は、ほぼ９０°に配置された前記設置部材の脚部先端と前記寝具保持部材の支持脚の先端とを挟持する態様で配置されたアングル板を備え、前記寝具保持部材の支持脚は、前記アングル板に固定され、前記設置部材の両脚部に対応する前記アングル板には、水平及び垂直溝が形成され、この溝には、前記設置部材の両脚部に固着され、外方へと突出した突起が移動自在に嵌合し、又、前記設置部材の両脚部には、前記突起に隣接して、前記脚部の長手軸線方向に直交する態様で長穴が形成されており、この長穴には、前記アングル板に固定された軸部材が移動自在に嵌合している、
ことを特徴とする寝具足先保護具。
【請求項２】
前記設置部材及び前記寝具保持部材の連結部材は、中央部にて補助連結部材により調整自在に接続されていることを特徴とする請求項１の寝具足先保護具。
【発明の詳細な説明】
【０００１】
【発明の属する技術分野】
本発明は、寝具による足先の圧迫をなくし、安眠を促進することのできる寝具足先保護具に関するものであり、一般家庭のみならず、病院やホテルなどにおいても好適に使用することができる。
【０００２】
【従来の技術】
通常、ベッドは、毛布、掛け布団などの上掛け寝具がマットの周りに巻き込まれており、就寝時に寝具が足先などを圧迫するようにセットされている。
【０００３】
【発明が解決しようとする課題】
しかしながら、就寝時の寝具による足先、更には脚部分の圧迫は、健康な人にとっても不快感を与えるだけでなく、特に、通風患者や通風気味の人にとっては、脚の痛みを増長させ、安眠を阻害する原因ともなる。
【０００４】
従って、本発明の目的は、一般家庭のみならず、病院やホテルなどにおいても好適に使用することができ、寝具による足先の圧迫を解放し、不快感を与えることがなく、又、寝具による圧迫に起因した脚の痛みをも解消し、安眠を促進することのできる寝具足先保護具を提供することである。
【０００５】
本発明の他の目的は、ベッドなどに簡単にセットすることができ、使い勝手が極めて良く、使用者の体格、使用するマット、上掛け寝具などに応じて適宜調整することのできる寝具足先保護具を提供することである。
【０００６】
本発明の更に他の目的は、小型で簡易な構成とされ、しかも、手軽に折り畳むことができ、収納するにも場所を取らず、何処にでも収納することができ、又、所望に応じて、旅行時に携帯することも可能な寝具足先保護具を提供することである。
【０００７】
【課題を解決するための手段】
上記目的は本発明に係る寝具足先保護具にて達成される。要約すれば、本発明は、平行に延在した脚部と、両脚部を連結する連結部とを有し、マットの下側に配置される設置部材と、
平行に延在した脚部と、両脚部を連結する連結部とを備えた本体部分を有し、前記両脚部の下端には、支持脚の上端が移動自在に嵌合されて取付けられている、寝具を所定の高さに保持するための寝具保持部材と、を有し、
寝具保持部材は、設置部材に対して、折り畳み機構を介して折り畳み自在に取付けられている寝具足先保護具であって、
前記折り畳み機構は、ほぼ９０°に配置された前記設置部材の脚部先端と前記寝具保持部材の支持脚の先端とを挟持する態様で配置されたアングル板を備え、前記寝具保持部材の支持脚は、前記アングル板に固定され、前記設置部材の両脚部に対応する前記アングル板には、水平及び垂直溝が形成され、この溝には、前記設置部材の両脚部に固着され、外方へと突出した突起が移動自在に嵌合し、又、前記設置部材の両脚部には、前記突起に隣接して、前記脚部の長手軸線方向に直交する態様で長穴が形成されており、この長穴には、前記アングル板に固定された軸部材が移動自在に嵌合している、
ことを特徴とする寝具足先保護具である。
【００１１】
本発明の一実施態様によると、前記設置部材及び前記寝具保持部材の連結部材は、中央部にて補助連結部材により調整自在に接続されている。
【００１２】
【発明の実施の形態】
以下、本発明に係る寝具足先保護具を図面に則して更に詳しく説明する。
【００１３】
実施例１
図１に本発明に係る寝具足先保護具の一実施例を示す。本実施例によると、寝具足先保護具１は、洋室のベッドにおいては、図４に示すように、ベッドフレーム１００上に敷かれたマット１０１の下側に、又、和室においては、図５に示すように、敷き布団或いはマットレス（本明細書では敷き布団、マットレスなどを含めて「マット」という。）の下側に配置される設置部材２と、寝具１０２を所定の高さに保持する寝具保持部材３とを有する。寝具保持部材３は、設置部材２に対して、折り畳み機構４を使用して、折り畳み自在に取付けられている。
【００１４】
本実施例で、設置部材２は、アルミニウム或いは樹脂などで作製したパイプをコの字状に曲げて一体に形成されており、平行に延在した脚部５（５Ａ、５Ｂ）と、両脚部５Ａ、５Ｂを連結する連結部６とを有する。一実施例によると、これに限定するものではないが、両脚部５Ａ、５Ｂの間隔（Ｗ）は、６４０ｍｍ、脚部５Ａ、５Ｂの長さ（Ｌ）を２６０ｍｍとすることにより好結果を得ることができた。
【００１５】
寝具保持部材３は、設置部材２と同様に、アルミニウム或いは樹脂などで作製したパイプをコの字状に曲げて一体に形成されており、平行に延在した脚部７（７Ａ、７Ｂ）と、両脚部７Ａ、７Ｂを連結する連結部８とを有する本体部分９を有するが、両脚部７Ａ、７Ｂの下端には、脚部７Ａ、７Ｂの穴内に、ロッド状とされる支持脚１０Ａ、１０Ｂの上端が移動自在に嵌合されて取付けられる。一実施例によると、これに限定するものではないが、両支持脚部１０Ａ、１０Ｂの間隔は、設置部材２の両脚部５Ａ、５Ｂの間隔（Ｗ）と同じ６４０ｍｍとし、両支持脚１０Ａ、１０Ｂの下端から連結部８までの高さ（Ｈ）は３４０ｍｍとすることにより好結果を得ることができた。
【００１６】
更に説明すると、図１及び図２を参照すると理解されるように、寝具保持部材３の本体部分脚部７Ａ、７Ｂの下端には、脚部７Ａ、７Ｂの長手軸線方向に直交して貫通穴（図示せず）が形成され、支持脚１０Ａ、１０Ｂにもその長手軸線方向に直交して貫通穴１１が複数個、所定の間隔にて形成されている。従って、両脚部７Ａ、７Ｂの貫通穴を支持脚１０Ａ、１０Ｂの所望の穴１１に適合させ、これら穴を貫通してボルト１２を挿通して、ナット１３にて締め付けることにより、寝具保持部材３の設置部材２に対する高さ（Ｈ）を調整することができる。本実施例では、５０ｍｍ程度の高さ調整が可能に、即ち、寝具保持部材３は、設置部材２に対してその高さ（Ｈ）が、３２０〜３７０ｍｍの範囲で高さ調整が可能とされた。
【００１７】
本実施例では、設置部材２の両脚部５Ａ、５Ｂと、寝具保持部材３の支持脚１０Ａ、１０Ｂとは、ほぼ９０°の角度に配置され、上述したように、折り畳み機構４を介して接続されている。本実施例にて、折り畳み機構４は、９０°の形状とされるアングル板１４を有する。アングル板１４は、必須ではないが、本実施例では、外側及び内側アングル板１４Ａ、１４Ｂからなり、両アングル板１４Ａ、１４Ｂは同形状とされ、ほぼ９０°に配置された、設置部材２の脚部５Ａ、５Ｂの先端と寝具保持部材３の支持脚１０Ａ、１０Ｂの先端とを挟持する態様で配置される。寝具保持部材３の支持脚１０Ａ、１０Ｂは、両アングル板１４Ａ、１４Ｂに螺子或いはボルト、ナット１５を使用して固定される。
【００１８】
一方、設置部材２の両脚部５Ａ、５Ｂに対応する両アングル板１４Ａ、１４Ｂには、水平及び垂直の溝１６、１７が形成されており、この溝１６、１７には設置部材２の両脚部５Ａ５Ｂに固着されて外方へと突出した突起１８が移動自在に嵌合している。図２には、突起１８が水平溝１６に嵌合された状態を示す。
【００１９】
又、設置部材２の両脚部５Ａ、５Ｂには、突起１８に隣接して、脚部５Ａ、５Ｂの長手軸線方向に直交する態様で長穴１９が形成されており、この長穴１９には、両アングル板１４Ａ、１４Ｂ間に貫通して設けられた軸部材、例えばボルトナット２０の軸部が移動自在に嵌合している。
【００２０】
上記構成にて、寝具足先保護具１を使用する時は、図１及び図２に示すように、設置部材２の両脚部５Ａ、５Ｂの突起１８は、アングル板１４Ａ、１４Ｂの水平溝１６内に位置しており、従って、設置部材２と寝具保持部材３とは、ほぼ直角状態に保持されている。この状態で図４及び図５に示すように、マット１０１の一端側の下に設置部材２を挿入する。寝具足先保護具１は、マット１０１の重さで設置部材２を押さえることにより、ほぼ垂直状態に維持することができる。
【００２１】
この状態で、掛け布団、毛布などの寝具１０２の端部をこの寝具保持部材３の上に配置することにより、使用者２００の足先２０１及び脚部２０２に空間２０３を形成することができ、寝具１０２による足先２０１及び脚部２０２の圧迫をなくすことができる。必要に応じて、寝具１０２の端部分は、設置部材２の下側に巻き込むこともできる。
【００２２】
このように、本発明の寝具足先保護具１は、その設置部材２をマット１０１の下に挿入するだけでベッドなどにセットすることができ、使用勝手が極めて良い。又、寝具保持部材１は、その高さを、使用者の体格、使用するマット、上掛け寝具などに応じて適宜調整することができ、好便である。
【００２３】
又、寝具足先保護具１を使用後に片づける場合には、図３に示すように、設置部材２を寝具保持部材３側から離れるように引っ張ることにより、設置部材２の両脚部５Ａ、５Ｂの突起１８をアングル板１４Ａ、１４Ｂの水平溝１６から垂直溝１７へと移動させる。この状態で、設置部材２と寝具保持部材３とを互いの方へと移動するように力を加えると、突起１８は、垂直溝１７から外方へと移動し、アングル板１４Ａ、１４Ｂから外れる。従って、設置部材２は、アングル板１４Ａ、１４Ｂのボルト軸２０を中心として揺動することができ、図３に二点鎖線にて示すように、折り畳まれる。このように、本発明の寝具足先保護具１は、簡単な操作で手軽に折り畳むことができるので、収納するにも場所を取らず、何処にでも収納し得るという利点がある。更に、本発明の寝具足先保護具１は、小型で簡易な構造とされるので、所望に応じては、旅行時に携帯することも可能である。
【００２４】
実施例２
図６に、本発明の寝具足先保護具１の他の実施例を示す。本実施例の寝具足先保護具１は、実施例１にて説明した寝具足先保護具１と同様の構成とされ、ただ、設置部材２及び寝具保持部材３の連結部材６、８が中央部にて分離され、補助連結部材２１、２２により調整自在に接続されている点で、実施例１の寝具足先保護具１と異なる。従って、同じ構成及び作用をなす部材には同じ参照番号を付し、詳しい説明は省略する。
【００２５】
つまり、本実施例によると、補助連結部材２１、２２は、ロッド部材とされ、それぞれ、一端は、分割された連結部材６、８の一方の端部にボルト２３、２４にて固定され、他端は分割された連結部材６、８の他方の端部に差込自在に嵌合される。
【００２６】
従って、寝具足先保護具１は、片づける際には、実施例１と同様に折り畳み、しかも、ほぼ中央部にて分離することができ、極めて小さく纏めることができ、携帯性が著しく向上する。又、使用時には、必要に応じてその幅を適当に調整することができる。本実施例では、差込調整幅（ｗ）を８０ｍｍ程度とすることによって、即ち、設置部材２及び寝具保持部材３の幅（Ｗ）を、５６０〜７２０ｍｍの範囲にて調整自在とすることによって、好結果を得ることができた。
【００２７】
上記各実施例では、設置部材２及び寝具保持部材３は、アルミニウム或いは樹脂などで作製したパイプ部材であるとして説明したが、これに限定されるものではなく、場合によっては、ロッド部材或いは板部材、更には、これら部材を組み合わせて作製することもできる。又、上記各実施例では、設置部材２と寝具保持部材３は、直角に配置されるものとしたが、この角度は、必要に応じて、増減することができる。
【００２８】
【発明の効果】
以上説明したように、本発明に係る寝具足先保護具は、平行に延在した脚部と、両脚部を連結する連結部とを有し、マットの下側に配置される設置部材と、
平行に延在した脚部と、両脚部を連結する連結部とを備えた本体部分を有し、両脚部の下端には、支持脚の上端が移動自在に嵌合されて取付けられている、寝具を所定の高さに保持するための寝具保持部材と、を有し、
寝具保持部材は、設置部材に対して、折り畳み機構を介して折り畳み自在に取付けられている寝具足先保護具であって、
折り畳み機構は、ほぼ９０°に配置された設置部材の脚部先端と寝具保持部材の支持脚の先端とを挟持する態様で配置されたアングル板を備え、寝具保持部材の支持脚は、アングル板に固定され、設置部材の両脚部に対応するアングル板には、水平及び垂直溝が形成され、この溝には、設置部材の両脚部に固着され、外方へと突出した突起が移動自在に嵌合し、又、設置部材の両脚部には、前記突起に隣接して、前記脚部の長手軸線方向に直交する態様で長穴が形成されており、この長穴には、アングル板に固定された軸部材が移動自在に嵌合している、構成とされるので、一般家庭のみならず、病院やホテルなどにおいても好適に使用することができ、
（１）寝具による足先の圧迫を解放し、不快感を与えることがなく、又、寝具による圧迫に起因した脚の痛みをも解消し、安眠を促進することができる。
（２）設置部材をマットの下に挿入するだけでベッドなどにセットすることができ、使用勝手が極めて良く、又、寝具保持部材は、その高さを、使用者の体格、使用するマット、上掛け寝具などに応じて適宜調整することができ、好便である。更に、
（３）手軽に折り畳むことができるので、収納も場所を取らず、何処にでも収納することができ、所望に応じては、旅行時に携帯することも可能である。
といった種々の作用効果を奏し得る。
【図面の簡単な説明】
【図１】本発明の寝具足先保護具の一実施例を示す斜視図である。
【図２】本発明の寝具足先保護具の折り畳み機構の一実施例の正面図で、折り畳み態様を説明する。
【図３】本発明の寝具足先保護具の折り畳み機構の一実施例の正面図で、折り畳み態様を説明する。
【図４】本発明の寝具足先保護具を洋室のベッドに使用した態様を示す図である。
【図５】本発明の寝具足先保護具を和室にて使用した態様を示す図である。
【図６】本発明の寝具足先保護具の他の実施例を示す斜視図である。
【符号の説明】
１                  寝具足先保護具
２                  設置部材
３                  寝具保持部材
４                  折り畳み機構
１０Ａ、１０Ｂ      支持脚
１４Ａ、１４Ｂ      アングル板
【図１】
0003768361.tif 000002
【図２】
0003768361.tif 000003
【図３】
0003768361.tif 000004
【図４】
0003768361.tif 000005
【図５】
0003768361.tif 000006
【図６】
0003768361.tif 000007